(57)【特許請求の範囲】
【請求項１】
全体が筒状に形成され、カメラ１を挿脱自在に収納するカメラ収納部２が設けられ、その先端が開放され、後端面が筒状の外面に対して垂直な面を有する装置本体３と、
その装置本体３のカメラ収納部２の中心と装置本体３の後端面とを貫通するケーブル挿通部４と、
前記カメラ収納部２は、カメラ１の外周に略整合する大径内筒部として形成され、前記ケーブル挿通部４が、そのケーブル外周に略整合する小径内筒部として形成され、その小径内筒部の外側に前記ケーブル挿通部４に平行で、前記装置本体３の後端面に開口するとともに、前記カメラ収納部２に開口するエアー誘導路５が貫通形成されており、
そのカメラ収納部２の内周とカメラ１の外周との間に略環状のエアー流通空間６が形成されるように、そのカメラ収納部２の内周とカメラ１の外周との間に設けられた空隙形成用スペーサ７と、
前記装置本体３の後端面に開口する前記エアー誘導路５に突設されたホースコネクタ１６と、
を具備し、前記装置本体３を高温配管内に挿入するに際し、前記ホースコネクタ１６にエアーホース８が連結され、冷却用のエアーがカメラ収納部２を流通して装置本体３の外部に放出されるように構成された高温配管内検査用カメラ冷却装置。
【請求項２】
請求項１において、
装置本体３が、その直径線上で二分割された形状で、互いに整合する一対の半筒体３ａ，３ｂからなり、両半筒体３ａ，３ｂが開閉自在に締結保持されるように構成された高温配管内検査用カメラ冷却装置。
【請求項３】
請求項１または請求項２において、
装置本体３の先端に照射ランプ９が設けられた高温配管内検査用カメラ冷却装置。
【請求項４】
請求項１〜請求項３のいずれかのカメラ冷却装置を用い、それにカメラ１を収納して、高温配管の内部を検査することとした検査方法。
【発明の詳細な説明】
【０００１】
【発明の属する技術分野】
本発明は、高温の配管内部をＣＣＤカメラやビデオカメラ等で検査する際のカメラ冷却装置およびそれによる高温配管内検査方法に関する。
【０００２】
【従来の技術】
火力発電所の蒸気系配管の内部を定期検査等のため、小型ＣＣＤカメラで配管内部を検査することは事実上できなかった。それは、そのカメラの耐熱温度が４０℃程度であるため、火力発電所の蒸気系配管の蒸気流通停止後、その耐熱温度まで管内が低下するまで極めて長時間かかるかかるからである。即ち、蒸気系配管は火力発電所の停止後、３日程で７０℃程まで下がるが、それが４０℃以下に達するには１ヶ月以上放置しなければならないからである。
【０００３】
【発明が解決しようとする課題】
通常の従来の小型ＣＣＤカメラによって蒸気系配管の内部を検査することは、その待ち時間が極めて長いため、事実上使用することはできなかった。
そこで本発明は、通常の小型ＣＣＤカメラによっても比較的高温の蒸気系配管内部を検査することができるカメラ冷却装置およびそれによる高温配管内検査方法を提供することを課題とする。
【０００４】
【課題を解決するための手段】
請求項１に記載の本発明は、全体が筒状に形成され、カメラ１を挿脱自在に収納するカメラ収納部２が設けられ、その先端が開放され、後端面が筒状の外面に対して垂直な面を有する装置本体３と、
その装置本体３のカメラ収納部２の中心と装置本体３の後端面とを貫通するケーブル挿通部４と、
前記カメラ収納部２は、カメラ１の外周に略整合する大径内筒部として形成され、前記ケーブル挿通部４が、そのケーブル外周に略整合する小径内筒部として形成され、その小径内筒部の外側に前記ケーブル挿通部４に平行で、前記装置本体３の後端に開口するとともに、前記カメラ収納部２に開口するエアー誘導路５が貫通形成されており、
そのカメラ収納部２の内周とカメラ１の外周との間に略環状のエアー流通空間６が形成されるように、そのカメラ収納部２の内周とカメラ１の外周との間に設けられた空隙形成用スペーサ７と、
前記装置本体３の後端面に開口する前記エアー誘導路５に突設されたホースコネクタ１６と、
を具備し、前記装置本体３を高温配管内に挿入するに際し、前記ホースコネクタ１６にエアーホース８が連結され、冷却用のエアーがカメラ収納部２を流通して装置本体３の外部に放出されるように構成された高温配管内検査用カメラ冷却装置である。
【０００５】
請求項２に記載の本発明は、請求項１において、
装置本体３が、その直径線上で二分割された形状で、互いに整合する一対の半筒体３ａ，３ｂからなり、両半筒体３ａ，３ｂが開閉自在に締結保持されるように構成された高温配管内検査用カメラ冷却装置である。
請求項３に記載の本発明は、
請求項１または請求項２において、
装置本体３の先端に照射ランプ９が設けられた高温配管内検査用カメラ冷却装置である。
請求項４に記載の本発明は、請求項１〜請求項３のいずれかのカメラ冷却装置を用い、それにカメラ１を収納して、高温配管の内部を検査することとした検査方法である。
【０００６】
【発明の実施の形態】
次に、図面に基づいて本発明のカメラ冷却装置の実施の形態につき説明する。
図１は本カメラ冷却装置の分解斜視図（その締結バンドを省略）であり、図２は本カメラ冷却装置の使用状態を示し、図３のII−II矢視断面図、図３は図２の左側面図である。
このカメラ冷却装置の装置本体３は、一対の半筒体３ａ，３ｂとによって構成される。即ち、装置本体３がその直径線上で二分割された形状で互いに整合する半筒体３ａ，３ｂからなり、両半筒体３ａ，３ｂが開閉自在に締結保持されるものである。その装置本体３はプラスチック成形体または金属体等からなり、その先端部にカメラ収納部２が形成されている。このカメラ収納部２は、カメラ１の外周より僅かに大きな大径内筒部として形成されている。そしてこのカメラ収納部２の中心部にケーブル挿通部４が設けられている。このケーブル挿通部４は、カメラ用ケーブル13の外周より僅かに大きな小径内筒部として形成されている。
【０００７】
またカメラ収納部２の内周面には、周方向に互いに離間して複数の凸部からなる空隙形成用スペーサ７が一体的に形成されている。そして装置本体３の先端面には夫々照射ランプ９が収納される小円形凹陥部が形成され、その照射ランプ９と装置本体３の後端部との間にランプ用ケーブル14が挿通されている。そしてランプ用ケーブル14の後端には、ケーブルコネクタ15が接続されている。
次に、一対の半筒体３ａ，３ｂには夫々ケーブル挿通部４に平行しその外側にエアー誘導路５が貫通されている。エアー誘導路５の後端面には、ホースコネクタ16が突設されている。また、一方の半筒体３ｂの平坦面には一対の凸部20が突設され、その凸部20に整合するように他方の半筒体３ａの平坦面には凹部21が設けられている。
次に、カメラ１はその後端にカメラ用ケーブル13が接続され、そのカメラ用ケーブル13にクランプ17を介して一対のエアーホース８が締結され、そのエアーホース８の先端にホースコネクタ16が設けられている。さらには、そのクランプ17に複数のランプ用ケーブル14が締結され、夫々のランプ用ケーブル14の先端にはケーブルコネクタ15が接続されている。
【０００８】
【使用方法】
次に、本発明のカメラ冷却装置の使用方法につき説明する。
先ず、一対の半筒体３ａ，３ｂを開放状態にして、そのカメラ１を半筒体３ｂのカメラ収納部２に収納する。このときカメラ１の外周は、カメラ収納部２の空隙形成用スペーサ７に当接され、カメラ１の外周とカメラ収納部２の内周との間には、半環状のエアー流通空間６が形成される。そして、カメラ用ケーブル13がケーブル挿通部４に収納される。なお、ケーブル挿通部４の内直径はカメラ用ケーブル13の外直径はよりも僅かに大に形成され、両者間に僅かの隙間が生じる。
次に、一方の半筒体３ｂに他方の半筒体３ａを被嵌し、一方の半筒体３ｂの凸部20を他方の半筒体３ａの凹部21に嵌着する。そして、一対の半筒体３ａ，３ｂの外周に形成された環状溝部19に、図２の如く締結バンド18を締結して、両者間を締結固定する。
【０００９】
次いで、エアー誘導路５の後端のホースコネクタ16とエアーホース８のホースコネクタ16とを夫々嵌着接続すると共に、ランプ用ケーブル14のケーブルコネクタ15どうしを接続する。そして照射ランプ９に電源を接続すると共に、カメラ用ケーブル13の後端を図示しないモニターテレビに接続する。そしてエアーホース８にエアーを供給し、それがエアー誘導路５からエアー流通空間６を通ってカメラ１の外周を通り、先端に放出されると共に、エアー流通空間６からケーブル挿通部４を通過し、後方にも僅かに流通するように形成する。
かかる状態で、装置本体３を温度７０℃程度の比較的高温な蒸気配管内に挿入する。そして照射ランプ９により配管内部を照射しつつ、カメラ１によって配管内を点検する。このとき、カメラ１の外周はエアーにより冷却され、カメラ内部は４０℃以下に保たれる。
【００１０】
【発明の作用・効果】
請求項１に記載の本発明によれば、筒状の装置本体３の後端部からカメラ収納部２にケーブル及びエアーホース８が挿通されて、コンパクトな冷却装置が形成される。そしてカメラ収納部２の内周とカメラ１の外周との間に存在する空隙形成用スペーサ７によって、カメラ１の外周には略環状のエアー流通空間６が形成され、冷却用エアーがそこを通過して装置本体３の先端から流出するように構成されたから、カメラ１の全外周を確実に冷却し、カメラの性能を確保し、信頼性の高い冷却装置となる。
それと共に、ケーブルやカメラ１の収まりがよく且つ、エアー誘導路５をコンパクトに確保でき、高温の配管内に挿脱自在に挿入できる。さらに、冷却用のエアーがカメラ収納部２を流通して装置本体３の外部に放出されるように構成されたから、カメラ近傍において配管自体を冷却し、カメラを保護する効果がある。
【００１１】
請求項２に記載の本発明によれば、装置本体３がその直径線上で二分割され、それらが開閉自在に締結固定されるように構成されたから、カメラ１やケーブルの挿脱が容易で且つメンテナンス性が良好となる。
請求項３に記載の本発明によれば、その装置本体３の先端に照射ランプ９が設けられたから、検査対象を確実にそのランプによって照射し、信頼性の高い検査を確保できる。
請求項４に記載の本発明は、前記何れかのカメラ冷却装置を用いて高温配管の内部を検査することとしたものであるから、本装置を配管内部に容易に挿脱できると共に、配管内部が高温にも拘わらずカメラの機能を損なうことなく検査をすることが可能となる。
【図面の簡単な説明】
【図１】本カメラ冷却装置の分解斜視図（締結バンドを省略）。
【図２】本カメラ冷却装置の使用状態を示し、図３のII−II矢視断面図。
【図３】図２の左側面図。
【符号の説明】
１  カメラ
２  カメラ収納部
３  装置本体
３ａ，３ｂ  半筒体
４  ケーブル挿通部
５  エアー誘導路
６  エアー流通空間
７  空隙形成用スペーサ
８  エアーホース
９  照射ランプ
13  カメラ用ケーブル
14  ランプ用ケーブル
15  ケーブルコネクタ
16  ホースコネクタ
17  クランプ
18  締結バンド
19  環状溝部
20  凸部
21  凹部
【図１】
0004224736.tif 000002
【図２】
0004224736.tif 000003
【図３】
0004224736.tif 000004